(57)【要約】【課題】放送局から送られてくる個別メールや、番組予約が成功したかどうかを示す自己発行メールの内容を、ユーザが良く使う他の端末で確認できるようにする。【解決手段】予め転送先のパーソナルコンピュータ７７や携帯電話８０のメールアドレスの宛先を設定しておく。受信機７１で個別（ＥＭＭ）メールを受信すると、その個別（ＥＭＭ）メールが予め設定しておいたアドレスに転送される。また、予約実行結果がメールが予め設定しておいたメールアドレスの宛先に転送される。また、ＰＰＶを購入すると、ＰＰＶを購入したことを示す情報やその料金の情報が予め設定しておいたメールアドレスの宛先に転送される。また、ソフトウェアのダウンロードを開始するときに、ダウンロードを開始するときの予告情報が予め設定しておいたメールアドレスの宛先に転送される。【選択図】　　　　図２
2004118402.tif 000002
【特許請求の範囲】
【請求項１】
放送局からの個別メールを受信する手段と、
自己発行メールを生成する手段と、
上記放送局からのメール及び／又は自己発行メールの転送先の宛先を予め設定する手段と、
上記放送局からのメール及び／又は自己発行メールを転送する場合には、上記放送局からのメール及び／又は自己発行メールの形式を上記転送先のアドレスに応じて変換し、上記予め設定した転送先の宛先に送信する手段と
を備えるようにした受信装置。
【請求項２】
上記メールの転送先の宛先は、インターネットのメールアドレスであり、上記放送局からのメール及び／又は自己発行メールの形式をインターネットのメールの形式に変換して、上記予め設定した転送先の宛先のインターネットのメールアドレスに送信するようにした請求項１に記載の受信装置。
【請求項３】
上記メールの転送先の宛先は、携帯電話のメールアドレスであり、上記放送局からのメール及び／又は自己発行メールの形式を携帯電話のメールの形式に変換して、上記予め設定した転送先の宛先の携帯電話のメールアドレスに送信するようにした請求項１に記載の受信装置。
【請求項４】
上記放送局からの信号は、ディジタルテレビジョン放送の信号である請求項１に記載の受信装置。
【請求項５】
上記放送局からのメール及び／又は自己発行メールを転送する／しないを設定する手段を設けるようにした請求項１に記載の受信装置。
【請求項６】
上記放送局からの個別メールを受信したとき、上記放送局からのメールを転送する場合には、上記個別メールの形式を転送先の宛先に応じて変換し、上記予め設定した宛先に送信するようにした請求項１に記載の受信装置。
【請求項７】
番組予約を行うときに、予約が成功したかどうかの情報を示す自己発行メールを作成し、上記自己発行メールの形式を転送先の宛先に応じて変換し、上記予め設定した転送先の宛先に送信するようにした請求項１に記載の受信装置。
【請求項８】
番組の購入を行うときに、購入した番組の情報を示す自己発行メールを作成し、上記自己発行メールの形式を転送先の宛先に応じて変換し、上記予め設定した転送先の宛先に送信するようにした請求項１に記載の受信装置。
【請求項９】
ソフトウェアをダウンロードを開始及び／又は終了するときに、ソフトウェアのダウンロードの情報を示す自己発行メールを作成し、上記自己発行メールの形式を転送先の宛先に応じて変換し、上記予め設定した転送先の宛先に送信するようにした請求項１に記載の受信装置。
【請求項１０】
放送局からのメール及び／又は自己発行メールの転送先の宛先を予め設定しておき、
放送局からの個別メールを受信し及び／又は自己発行メールを生成し、
上記放送局からのメール及び／又は自己発行メールを転送する場合には、上記放送局からのメール及び／又は自己発行メールの形式を転送先の宛先に応じて変換し、上記予め設定した転送先の宛先に送信する
ようにしたメール転送方法。
【請求項１１】
上記メールの転送先の宛先は、インターネットのメールアドレスであり、上記放送局からのメール及び／又は自己発行メールの形式をインターネットのメールの形式に変換して、上記予め設定した転送先の宛先のインターネットのメールアドレスに送信するようにした請求項１０に記載のメール転送方法。
【請求項１２】
上記メールの転送先の宛先は、携帯電話のメールアドレスであり、上記放送局からのメール及び／又は自己発行メールの形式を携帯電話のメールの形式に変換して、上記予め設定した転送先の宛先の携帯電話のメールアドレスに送信するようにした請求項１０に記載のメール転送方法。
【請求項１３】
上記放送局からの信号は、ディジタルテレビジョン放送の信号である請求項１０に記載のメール転送方法。
【請求項１４】
上記放送局からのメール及び／又は自己発行メールを転送する／しないを設定するようにした請求項１０に記載のメール転送方法。
【請求項１５】
上記放送局からの個別メールを受信したとき、上記放送局からのメールを転送する場合には、上記個別メールの形式を転送先の宛先に応じて変換し、上記予め設定した転送先の宛先に送信するようにした請求項１０に記載のメール転送方法。
【請求項１６】
番組予約を行うときに、予約が成功したかどうかの情報を示す自己発行メールを作成し、上記自己発行メールの形式を転送先の宛先に応じて変換し、上記予め設定した転送先の宛先に送信するようにした請求項１０に記載のメール転送方法。
【請求項１７】
番組の購入を行うときに、購入した番組の情報を示す自己発行メールを作成し、上記自己発行メールの形式を転送先の宛先に応じて変換し、上記予め設定した転送先の宛先に送信するようにした請求項１０に記載のメール転送方法。
【請求項１８】
ソフトウェアをダウンロードするときに、ソフトウェアのダウンロードの情報を示す自己発行メールを作成し、上記自己発行メールの形式を転送先の宛先に応じて変換し、上記予め設定した転送先の宛先に送信するようにした請求項１０に記載のメール転送方法。
【請求項１９】
放送局からのメール及び／又は自己発行メールの転送先の宛先を予め設定しておき、放送局からの個別メールを受信し及び／又は自己発行メールを生成し、上記放送局からのメール及び／又は自己発行メールを転送する場合には、上記放送局からのメール及び／又は自己発行メールの形式を転送先の宛先に応じて変換し、上記予め設定した転送先の宛先に送信する受信端末と、
上記受信装置から送られてくる上記放送局からのメール及び／又は自己発行メールを受信し、上記放送局からのメール及び／又は自己発行メールを表示する通信端末と、
上記受信端末と上記通信端末とを接続するネットワークと
からなるメール転送システム。
【発明の詳細な説明】
【０００１】
【発明の属する技術分野】
この発明は、ディジタル衛星放送で送られてくる個別メールや自己発行メールを処理するのに用いて好適な受信装置及びメール転送方法、メール転送システムに関する。
【０００２】
【従来の技術】
ディジタルＢＳ（Ｂｒｏａｄｃａｓｔ　Ｓａｔｅｌｌｉｔｅ）放送やディジタルＣＳ（Ｃｏｍｍｕｎｉｃａｔｉｏｎ　Ｓａｔｅｌｌｉｔｅ）放送では、有料番組にはスクランブルが施されており、有料番組を受信するためには、ユーザは放送局側と受信契約を行う必要がある。受信契約を行うと、放送局側から契約者宛に、個別（ＥＭＭ（Ｅｎｔｉｔｌｅｍｅｎｔ　Ｍａｎａｇｅｍｅｎｔ　Ｍｅｓｓａｇｅ））メールが送られてくる。このＥＭＭには、受信契約情報が含められる。そして、契約が更新される毎に、個別メールが送られる。また、予約録画が失敗したときなどには、自己発行メールが作成される。
【０００３】
従来のディジタルＢＳ放送やディジタルＣＳ放送の受信端末では、メールが届いたことを知らせるために、例えばＬＥＤ（Ｌｉｇｈｔ　Ｅｍｉｔｔｉｎｇ　Ｄｉｏｄｅ）のメール受信ランプやＧＵＩ（Ｇｒａｐｈｉｃａｌ　Ｕｓｅｒ　Ｉｎｔｅｒｆａｃｅ）にメール受信の表示が設けられている。個別（ＥＭＭ）メールが届いたり、自己発行メールが作成されると、ＬＥＤのメール受信ランプが点灯され、或いはメール受信の文字がＧＵＩで表示され、メールが来ていることがユーザに通知される。
【０００４】
ユーザは、ＬＥＤのメール受信ランプやＧＵＩのメール受信表示からメールが来ていることが分かると、メールの読み出し設定を行って、メールの読み出しを行う。これにより、個別（ＥＭＭ）メールや自己発行メールの内容が画面に表示される。
【０００５】
【発明が解決しようとする課題】
しかしながら、従来の受信端末では、個別（ＥＭＭ）メールが来たことや自己発行メールが発生したことがわかるためには、受信端末の表示（ＬＥＤやＧＵｌなど表示）を意識的に観察しなければならないという問題がある。
【０００６】
また、従来の受信端末では、個別（ＥＭＭ）メールや自己発行メールの内容は、ＧＵＩ操作によってしか見ることができず、受信端末上のＧＵＩ操作でメールを見るためには、受信端末をわざわざ起動したりなどの操作が必要で、ユーザにとっては面倒である。このため、メールが届いているのに、或いは自己発行メールが作成されているのに、メールの中身が確認がなされないことが多く、リアルタイムな情報を放送局側からユーザに提供できなかったり、放送局からの重要なお知らせなどが見逃されたりするなどの問題がある。
【０００７】
また、従来では、予約録画が成功したかどうかの結果は、受信機上のＧＵＩによる文章や、実際に録画先などのＶＴＲを見ることでしか確認できない。すなわち、ディジタルＢＳ放送やディジタルＣＳ放送では、番組の予約録画を設定しても、契約に合致していない場合には、番組の提示を受けることができない。また、受信状態が悪化していると、予約した番組を録画することができない。このため、予約録画を設定しても、予約が失敗することがある。予約録画が失敗しても、そのことが直ちに分かれば、代わりの予約等をするなどの対処をとることができる。しかしながら、受信機上のＧＵＩによる文章や、実際に録画先などのＶＴＲを見ることでしか予約が成功したかどうかを確認できないと、予約録画が成功したかどうかをすぐに知ることができず、予約が失敗した場合に、代わりの予約等をするなどの対処をとることができないという問題がある。
【０００８】
さらに、ディジタルＢＳ放送やディジタルＣＳ放送では、ＰＰＶ（Ｐａｙ　Ｐｅｒ　Ｖｉｅｗ）と呼ばれる番組を購入するシステムがある。また、ディジタルＢＳ放送やディジタルＣＳ放送では、衛星を通じてソフトウェアをダウンロードして、受信端末のソフトウェアをバージョンアップする機能がある。自己発行メールは、ＰＰＶで番組を購入したときや、衛星を通じてソフトウェアをダウンロードするときにも、発行されている。
【０００９】
ところが、従来では、ユーザは、自己発行メールの確認をすることが少なく、自分以外の人（例えば家族）がＰＰＶ番組を購入しても、放送局（事業者）からの請求書が来るまで、ＰＰＶの番組を購入したことを知らずにいることがある。このため、請求書が来てから、突然、思いもよらない請求があり、混乱するというような事態が発生することがある。
【００１０】
さらに、従来は、ユーザは、衛星ダウンロードのお知らせ等の通知のメールをわざわざ受信機上で見たりしなかったため、受信機のソフトウェアがバージョンアップしても、バージョンアップの情報が得られず、新しい機能が追加できなかったり、ソフトウェアによる不具合を解消できないことがある。
【００１１】
したがって、この発明の目的は、放送局から送られてくる個別メールや、番組予約が成功したかどうかを示す自己発行メールの内容を、ユーザが良く使う他の端末で確認できるようにした受信装置、メール転送方法、メール転送システムを提供することにある。
【００１２】
【課題を解決するための手段】
請求項１の発明は、放送局からの個別メールを受信する手段と、
自己発行メールを生成する手段と、
放送局からのメール及び／又は自己発行メールの転送先の宛先を予め設定する手段と、
放送局からのメール及び／又は自己発行メールを転送する場合には、放送局からのメール及び／又は自己発行メールの形式を転送先の宛先に応じて変換し、予め設定した転送先の宛先に送信する手段と
を備えるようにした受信装置である。
【００１３】
請求項１０の発明は、放送局からのメール及び／又は自己発行メールの転送先の宛先を予め設定しておき、
放送局からの個別メールを受信し及び／又は自己発行メールを生成し、
放送局からのメール及び／又は自己発行メールを転送する場合には、放送局からのメール及び／又は自己発行メールの形式を転送先の宛先に応じて変換し、予め設定した転送先の宛先に送信する
ようにしたメール転送方法である。
【００１４】
請求項１９の発明は、放送局からのメール及び／又は自己発行メールの転送先の宛先を予め設定しておき、放送局からの個別メールを受信し及び／又は自己発行メールを生成し、放送局からのメール及び／又は自己発行メールを転送する場合には、放送局からのメール及び／又は自己発行メールの形式を転送先の宛先に応じて変換し、予め設定した転送先の宛先に送信する受信端末と、
受信装置から送られてくる放送局からのメール及び／又は自己発行メールを受信し、放送局からのメール及び／又は自己発行メールを表示する通信端末と、
受信端末と通信端末とを接続するネットワークと
からなるメール転送システムである。
【００１５】
「メール通知項目」の設定で「ＥＭＭメールを通知をする」に設定しておくと、個別（ＥＭＭ）メールを受信すると、その個別（ＥＭＭ）メールが予め設定しておいたアドレスに転送されてくる。これにより、ユーザは自分の良く使うパーソナルコンピュータや携帯電話の画面で、契約情報を確認できる。
【００１６】
また、「メール通知項目」の設定で「予約実行結果の通知をする」に設定しておくと、予約実行結果がメールが予め設定しておいたメールアドレスの宛先に転送されてくる。これにより、ユーザは自分の良く使うパーソナルコンピュータや携帯電話の画面で、予約録画が成功したかどうかを確認できる。
【００１７】
また、「メール通知項目」の設定で「ＰＰＶ購入を通知をする」に設定しておくと、ＰＰＶを購入すると、ＰＰＶを購入したことを示す情報やその料金の情報が予め設定しておいたメールアドレスの宛先に転送されてくる。このメールの内容がパーソナルコンピュータや携帯電話の画面に表示される。これにより、ユーザは自分の良く使うパーソナルコンピュータや携帯電話の画面で、ＰＰＶの購入情報を確認できる。
【００１８】
また、「メール通知項目」の設定で「ダウンロード開始を通知する」に設定しておくと、ソフトウェアのダウンロードを開始するときに、ダウンロードを開始するときの予告情報が予め設定しておいたメールアドレスの宛先に転送されてくる。このメールの内容がパーソナルコンピュータや携帯電話の画面に表示される。「メール通知項目」の設定で「ダウンロード終了を通知する」に設定しておくと、ダウンロードを終了すると、ダウンロードしたソフトウェアの情報が予め設定しておいたメールアドレスの宛先に転送されてくる。このメールの内容がパーソナルコンピュータや携帯電話の画面に表示される。これにより、ユーザは自分の良く使うパーソナルコンピュータや携帯電話の画面で、新しいソフトウェアがダウンロードされたことや、そのソフトウェアの情報を確認できる。
【００１９】
【発明の実施の形態】
以下、この発明の実施の形態について図面を参照して説明する。図１は、この発明が適用できる受信端末としての衛星放送チューナ１の一例である。
【００２０】
図１において、衛星放送チューナ１は、例えば、ＢＳディジタル衛星放送を受信するためのチューナである。例えば１２ＧＨｚ帯の電波で衛星を介して送られてくるディジタル衛星放送の電波は、パラボラアンテナ１１で受信され、パラボラアンテナ１１に取り付けられた低雑音コンバータ１２で、例えば、１ＧＨｚ帯の中間周波信号に変換される。この低雑音コンバータ１２の出力がケーブル１０を介して衛星放送チューナ１のアンテナ端子２１に供給される。
【００２１】
アンテナ端子２１からの信号は、チューナ回路２２に供給される。チューナ回路２２により、ＣＰＵ（Ｃｅｎｔｒａｌ　Ｐｒｏｃｅｓｓｉｎｇ　Ｕｎｉｔ）２０から周波数設定用の制御信号に基づいて、受信信号の中から、所望の搬送波周波数の信号が選択される。
【００２２】
チューナ回路２２の出力が復調回路２３に供給される。復調回路２３では、ＢＰＳＫ（Ｂｉｎａｒｙ　Ｐｈａｓｅ　Ｓｈｉｆｔ　Ｋｅｙｉｎｇ　）と、ＱＰＳＫ（Ｑｕａｄｒａｔｕｒｅ　Ｐｈａｓｅ　ＳｈｉｆｔＫｅｙｉｎｇ　）と、ＴＣ−８ＰＳＫ（トレリス８相ＰＳＫ）の復調処理が行える。
【００２３】
すなわち、ＢＳディジタル衛星放送では、ＢＰＳＫと、ＱＰＳＫと、ＴＣ−８ＰＳＫとにより、階層化伝送が行われている。ＴＣ−８ＰＳＫ変調では、１シンボル当たりの情報量は増えるが、降雨による減衰があると、エラーレートが悪化する。これに対して、ＢＰＳＫやＱＰＳＫでは、１シンボル当たりの情報量は少なくなるが、降雨による減衰があっても、エラーレートはさほど低下しない。
【００２４】
送信側では、１つのＴＳパケットを１スロットに対応させて、各ＴＳパケットが４８スロットで構成されるフレームにマッピングされる。各スロット毎に、変調方式や符号化方式を割り当てることができる。各スロットに割り当てられたられた変調方式の種別や符号化率は、ＴＭＣＣ（Ｔｒａｎｓｍｉｓｓｉｏｎ　ａｎｄ　Ｍｕｌｔｉｐｌｅｘｉｎｇ　Ｃｏｎｆｉｇｕｒａｔｉｏｎ　Ｃｏｎｔｒｏｌ）信号により送られる。そして、８フレームを単位としてスーパーフレームが構成され、スロットの位置毎にインターリーブが行われる。
【００２５】
復調回路２３の出力は、エラー訂正回路２４に供給される。エラー訂正回路２４より、エラー訂正処理が行われる。エラー訂正符号化方式としては、外符号にリード・ソロモン符号（２０４，１８８）、内符号に、トレリス符号、畳み込み符号が用いられる。
【００２６】
エラー訂正回路２４の出力がデスクランブラ２５に供給される。デスクランブラ２５で、ＣＡＳ（Ｃｏｎｄｉｔｉｏｎ　Ａｃｃｅｓｓ　Ｓｙｓｔｅｍ　）制御が行われる。
【００２７】
つまり、ＩＣカード２７には、各契約者毎のマスター鍵Ｋｍが記憶されている。ＩＣカード２７は、カードインターフェース３５を介して装着される。視聴者が有料番組の視聴を希望する場合、受信契約を行いたい視聴者は、放送局側の顧客管理システムに契約を申し込む。契約が成立すると、各契約者毎に、契約情報が作成され、この契約情報がマスター鍵Ｋｍで暗号化され、ＥＭＭセクションのデータ（ＥＭＭメール）で伝送される。また、このＥＭＭセクションのデータで送られてくる情報には、ワーク鍵Ｋｗが含められる。
【００２８】
受信端末側では、受信契約を行うと、自分宛のＥＭＭセクションのデータの受信が行われる。すなわち、受信端末では、受信トランスポートストリームがデスクランブラ２５を介してデマルチプレクサ２８に供給される。デマルチプレクサ２８で、ＰＩＤに基づき、受信されたトランスポートストリームから、ビデオ及びオーディオのＰＥＳパケットと、セクションのデータとが分離される。そして、ＥＭＭセクションのデータが抽出され、このＥＭＭセクションのデータがＣＰＵ２０に送られる。
【００２９】
ＣＰＵ２０で、ＩＣカード２７の個別ＩＤを使って、受信されたＥＭＭセクションのデータが自分宛のものかどうが判断され、自分宛のＥＭＭセクションのデータが受信されたら、このＥＭＭセクションのデータがＩＣカード２７に送られる。そして、マスター鍵Ｋｍを使ってＥＭＭセクションのデータが復号される。
【００３０】
個別のマスター鍵Ｋｍを使って自分宛のＥＭＭセクションのデータが復号できたら、このＥＭＭセクションのデータがＩＣカード２７記憶される。このＥＭＭセクションのデータには、各種の受信契約と共に、ワーク鍵Ｋｗが含まれている。このＥＭＭのセクション情報から契約情報（ＣＡ）が形成される。以上の処理は、契約の更新がある毎に行われる。
【００３１】
有料番組のトランスポートストリームには、スクランブル鍵Ｋｓにより、スクランブルが施される。このスクランブル鍵Ｋｓは、ワーク鍵Ｋｗで暗号化され、ＥＣＭ（Ｅｎｃｒｙｐｔｉｏｎ　Ｃｏｎｔｒｏｌ　Ｍｅｓｓａｇｅ）セクションに含めて送られている。
【００３２】
契約には、大きく分けて、フラット契約とＰＰＶ契約がある。フラット契約とは、特定チャンネルに対して例えば１ヶ月単位で料金設定されるものであり、これには、チャンネル単位に契約するものと、複数チャンネルをパッケージにして契約するものがある。一方、ＰＰＶは、番組単位に料金が設定されるものであり、これには、事前にカスタマーセンタに申し込みをして視聴するものと、即時に購入できるものがある。
【００３３】
有料番組を受信する場合には、先ず、スクランブル鍵Ｋｓを獲得するために、ＥＣＭのセクションの受信が行われる。すなわち、受信端末において、デマルチプレクサ２８で、ＥＣＭセクションのデータが抽出される。このＥＣＭセクションのデータは、契約情報を参照して抽出される。ユーザが視聴を希望しても、契約に合致していない場合には、受信が拒否される。このＥＣＭセクションのデータがＣＰＵ２０に送られる。
【００３４】
このＥＣＭセクションのデータは、ＥＭＭセクションのデータを復号して得られたワーク鍵Ｋｗを使って復号される。このＥＣＭのセクションの情報から、スクランブル鍵Ｋｓが得られる。
【００３５】
スクランブル鍵Ｋｓは、ＣＰＵ２０からデスクランブラ２８に送られる。デスクランブラ２８で、スクランブル鍵Ｋｓを使って、トランスポートストリームのスクランブルが解除される。
【００３６】
また、このとき、視聴履歴がＩＣカード２７に記録される。この視聴履歴は、モデム４７を介して、放送局の顧客管理システムに送られる。この視聴履歴に基づいて、課金処理が行われる。また、このモデム４７は、インターネットのＩＳＰに接続するのに使用される。
【００３７】
デマルチプレクサ２８は、ＣＰＵ２０からの指令に基づいて、デスクランブラ２５からのトランスポートストリームの中から、所望のパケットのストリームを分離するものである。パケットのヘッダ部にはパケット識別子（ＰＩＤ）が記述されている。デマルチプレクサ２８で、このＰＩＤに基づいて、所望のプログラムのビデオパケット、オーディオパケット、データパケット、ＰＳＩ（Ｐｒｏｇｒａｍ　Ｓｐｅｃｉｆｉｃ　Ｓｅｒｖｉｃｅ　Ｉｎｆｏｒｍａｔｉｏｎ）及びＳＩ（Ｓｅｒｖｉｃｅ　Ｉｎｆｏｒｍａｔｉｏｎ）のパケットが分離される。
【００３８】
ＳＩでは、サービスのチャンネル名や個々の番組タイトル及び開始時刻／継続時間、さらに番組の内容や進行状況など、さまざま情報が適用される。これらの情報は文字のみであるが、受信機で処理して、番組表が作成される。
【００３９】
所望のプログラムのビデオパケットは、ビデオデコーダ２９に送られ、オーディオパケットは、オーディオデコーダ３０に送られる。データパケット、ＰＳＩ及びＳＩのパケットは、ＣＰＵ２０に送られる。
【００４０】
ビデオデコーダ２９は、デマルチプレクサ２８からのビデオパケットを受け取り、ＭＰＥＧ２方式のデコード処理を行って、ビデオ信号を再生するものである。再生されたビデオ信号は、合成回路３１を介して、出力端子３３から出力される。
【００４１】
画面に映し出す各種の表示信号がＣＰＵ２０からの信号に基づいて、表示回路３２で生成される。この表示回路３２により、ＥＰＧ（Ｅｌｅｃｔｒｏｎｉｃ　Ｐｒｏｇｒａｍ　Ｇｕｉｄｅ）画面やタイトル画面が生成される。表示回路３２の出力が合成回路３１に供給される。
【００４２】
オーディオデコーダ３０は、デマルチプレクサ２８からのオーディオパケットを受け取り、ＭＰＥＧ２−ＡＡＣ（ＭＰＥＧ２　Ａｄｖａｎｃｅｄ　Ａｕｄｉｏ　Ｃｏｄｉｎｇ　）のデコード処理を行って、オーディオ信号を形成するものである。再生されたオーディオ信号は、出力端子３４から出力される。
【００４３】
出力端子３３からのビデオ信号及び出力端子３４からのオーディオ信号は、テレビジョン受像機２に供給される。テレビジョン受像機２は、ＣＲＴ（Ｃａｔｈｏｄｅ−Ｒａｙ　Ｔｕｂｅ）やＬＣＤ（Ｌｉｑｕｉｄ　Ｃｒｙｓｔａｌ　Ｄｉｓｐｌａｙ）を使ったものである。テレビジョン受像機２には、設定チャンネルの受信画面が映し出されると共に、音声が出力される。さらに、録画を行う場合には、この出力端子３３からのビデオ信号及び出力端子３４からのオーディオ信号は、ＶＴＲ等の記録装置に送られる。
【００４４】
ＢＳディジタル衛星放送チューナ１を操作するための入力は、入力キー４１により行われると共に、リモートコントローラ４２により行われる。リモートコントローラ４２からの赤外線コマンド信号は、受光部４３で受光され、リモコンインターフェース４４を介して、ＣＰＵ２０に送られる。
【００４５】
前述したように、受信契約を行ったり、契約を更新すると、放送局側から契約者宛に、契約情報を含む個別（ＥＭＭ）メールが送られてくる。また、ディジタルＢＳ放送やディジタルＣＳ放送では、予約の失敗等を知らせるために、自己発行メールが作成される。
【００４６】
従来のＢＳ放送やＣＳ放送の受信端末では、ＬＥＤのメール受信ランプやＧＵＩのメール受信表示からメールが来ていることが分かるようにされており、ＬＥＤのメール受信ランプやＧＵＩのメール受信表示からメールが来ていることが分かると、ユーザは、メールの読み出し設定を行って、メールの読み出しを行うようにしている。また、メールは、受信端末の表示部３２によるＧＵＩによってのみ、表示されるようになっている。しかしながら、これでは、メールを見るのに手間がかかり、メールが読まれないことが多い。
【００４７】
そこで、この発明が適用されたシステムでは、ＥＭＭメールや自己発行メールを、予め登録しておいた他のメールアドレスに送り、パーソナルコンピュータやＰＤＡ、携帯電話のような他の通信端末で、ＥＭＭメールや自己発行メールの内容を見ることができるようにしている。
【００４８】
つまり、図２に示すように、この発明が適用された受信端末７１（衛星放送チューナ１）と電話回線７２とは、ＩＳＰ（Ｉｎｔｅｒｎｅｔ　Ｓｅｒｖｉｃｅ　Ｐｒｏｖｉｄｅｒ）７３を介して、インターネット７４に接続可能とされている。ＩＳＰは、インターネットとユーザー間をつなぎ、電子メールの送受信サービスなどを提供する事業者である。受信端末７１とＩＳＰ７３との間は、電話回線７２で接続される。インターネットは、全世界のネットワークを相互に接続したコンピュータネットワークである。また、ユーザのパーソナルコンピュータ７７は、ＩＳＰ７５を介して、電話回線７６によりインターネット７４に接続可能とされている。ユーザの携帯電話８０は、携帯電話事業者のシステム７８を介して、携帯電話の回線７９により、インターネット７４に接続可能とされている。
【００４９】
個別（ＥＭＭ）メールや自己発行メールを他のメールアドレスに送る場合には、ユーザのパーソナルコンピュータ７７でインターネットの形式でメールを受信するときのアドレスや、携帯電話２０で携帯電話の形式でメールを受信するときのアドレスが予め登録される。受信端末７１で、個別（ＥＭＭ）メールが受信されたり、自己発行メールが発行されると、この個別（ＥＭＭ）メールや自己発行メールは、インターネットのメールの形式に変換され、受信端末７１から、電話回線７２、ＩＳＰ７３を介して、インターネット７４に送られ、ＩＳＰ７５、電話回線７６を介してユーザのパーソナルコンピュータ７７に送られる。又は、このＥＭＭメールや受信機自己発行メールは、携帯電話のメールの形式に変換され、受信端末７１から、電話回線７２、ＩＳＰ７３を介して、インターネット７４に送られ、携帯電話事業者のシステム７８、携帯電話回線７９を介して、ユーザの携帯電話２０に送られる。携帯電話のメールの場合には、インターネットを使わずに、携帯電話事業者のシステムでメールを転送する場合もある。
【００５０】
個別（ＥＭＭ）メールや自己発行メールを転送する宛先（アドレス）としては、ユーザが最も多く利用している機器を選ぶようにすれば良い。例えば、現在では、インターネットに接続可能な携帯電話が爆発的に普及している。このインターネットに接続可能な携帯電話を個別（ＥＭＭ）メールや自己発行メールを転送する宛先とすれば、個別（ＥＭＭ）メールや自己発行メールを携帯電話の画面で読むことができるようになり、個別（ＥＭＭ）メールや自己発行メールを見逃すことがなくなる。勿論、宛先のアドレスを会社や自分のパーソナルコンピュータのプロバイダのメールサーバのアドレスとすれば、会社や自分のパーソナルコンピュータの画面で、個別（ＥＭＭ）メールや自己発行メールを確認することができるようになる。
【００５１】
このように、個別（ＥＭＭ）メールや自己発行メールを他のメールアドレスに送るときの処理について、図３の機能ブロック図及び図４から図９フローチャートを参照して説明する。
【００５２】
図３は、個別（ＥＭＭ）メールや自己発行メールを、予め登録しておいた他のメールアドレスに転送することができるようにした受信機７１（衛星放送チューナ１とテレビジョン受像機２とからなる）の機能に基づくブロック図である。
【００５３】
図３において、表示装置１０１は、表示部１０２で作られたグラフィック／テキスト情報をユーザーに見せるための機器であり、図１におけるテレビジョン受像機２に対応する。
【００５４】
表示部１０２は、表示装置１０１に表示を行うモジュールであり、制御部１０５により表示内容が送られる。
【００５５】
通信部１０３は公衆回線等を使って受信機の情報を通信するモジュールであり、図１におけるモデム４７に対応する。この通信部１０３は、制御部１０５により情報の読み書きが行われる。
【００５６】
記憶部１０４は、ショートカットアイコンに割り当てるジャンルや、チャンネル情報、操作履歴等を記憶するモジュールである。この記憶部１０４は、制御部１０５により情報の読み書きが行われる。
【００５７】
制御部１０５は、表示部１０２、記憶部１０４、選局部１０６、操作入力部１０７を統率して制御するモジュールであり、図１におけるＣＰＵ２０に対応する。また、この制御部１０５は、タイマー機能（スケジュール機能）を持つ。
【００５８】
選局部１０６は、チャンネル切り換えを行うモジュールであり、図１におけるチューナ部２２と、デマルチプレクサ２８に対応する。選局部１０６には、制御部１０５より選局の情報が送られる。
【００５９】
操作入力部１０７は、入力装置１０９からのボタン（キー）情報を受け、制御部１０５に渡すモジュールである。
【００６０】
受信部１０８は、衛星から受信したチャンネル情報やＥＭＭ等を制御部１０５へ渡すモジュールである。
【００６１】
入力装置１０９は、ユーザー操作のボタン（キー）情報を操作入力部１０７」へ渡す機器である。入力装置１０９は、図１におけるリモートコントローラ４２やキー入力４１に対応する。
【００６２】
ＣＡ部１１０は、放送事業者との契約情報を管理するモジュールである。メール作成部１１１は、自己発行メールを作成するモジュールである。
【００６３】
図４は、「メール通知項目設置」及び「メール宛先設置」を行うための処理を示すフローチャートである。図４において、メニュー起動操作を行うと（ステップＳ１）、制御部１０５は、入力装置１０９を使ってユーザーが操作した一連の情報を操作入力部１０７を経由して受け取り、表示部１０２を経由して、表示装置１０１に「メニュー・メール通知項目の選択」を表示させる（ステップＳ２）。
【００６４】
「メニュー・メール通知項目の選択」で、ユーザは、「メール通知項目」を設定するか、「メール宛先」を設定する（ステップＳ３）。
【００６５】
制御部１０５は、表示装置１０１を見ながら、入力装置１０９を使ってユーザーが選択した場所の情報を、操作入力部１０７を経由して受け取る。ここでユーザが「メール通知項目」を選択していたら、制御部１０５は、表示部１０２を経由して、表示装置１０１に「メニュー・メール通知項目の選択」を表示させる（ステップＳ４）。
【００６６】
ユーザは、「メニュー・メール通知項目の選択」で、通知項目の操作内容の選択を行う（ステップＳ５）。通知項目としては、例えば、「ＥＭＭメール」、「予約実行結果」、「購入通知」、「ダウンロード予告通知」、「ダウンロード終了通知」等がある。ユーザは、これらの通知項目の中から、通知項目を選択する。また、通知項目の設定したら、「選択終了」を選択する。
【００６７】
ステップＳ５で項目を選択すると、その対象項目を選択する操作が行われ（ステップＳ６）、制御部１０５は、表示装置１０１に、「対象項目の通知する／しない」を表示させる（ステップＳ７）。例えば、ユーザが「ＥＭＭメール」を選択すると、「ＥＭＭメールを通知する／しない」の画面が表示される。
【００６８】
「対象項目の通知する／しない」が表示されたら、ユーザは、入力装置１０９を使って、その対象項目について、通知をするか、通知をしないかの選択を行う（ステップＳ８）。そして、制御部１０５は、「対象項目の通知する／しない」の設定情報を記憶部１０４に保存して（ステップＳ９）、ステップＳ５にリターンする。
【００６９】
ステップＳ５からステップＳ９を繰り返すことにより、各対象項目について、通知する／しないが設定されていく。ステップＳ５で、ユーザが「選択終了」を選択すると、制御部１０５は、表示部１０２を経由して、表示装置１０１の表示を消去させて（ステップＳ１０）、処理を終了する。
【００７０】
ステップＳ３で、ユーザが「メール宛先」を選択すると、メール宛先の設定処理となる。
【００７１】
メール宛先の設定処理では、制御部１０５は、入力装置１０９を使ってユーザーが操作した一連の情報を操作入力部１０７を経由して受け取り、表示部１０２を経由して、表示装置１０１に「メニュー・メール宛先設定」を表示させる（ステップＳ１１）。
【００７２】
制御部１０５は、表示装置１０１（「メニュー・メール宛先設定」）を見ながら、入力装置１０９を使ってユーザーが選択した場所（「メール宛先設定」）の情報を操作入力部１０７を経由して受け取り、表示部１０２を経由して、表示装置１０１に「メニュー・メール宛先設定」を表示させ、メールアドレス（宛先）の入力をユーザーに促す。
【００７３】
表示装置１０１に「メニュー・メール宛先設定」が表示されると、ユーザは、メール宛先設定欄に、転送先のメールアドレスを入力する（ステップＳ１２）。
【００７４】
制御部１０５は、メール宛先設定欄に入力装置１０９を使って入力されたメール宛先の文字情報を、操作入力部１０７を経由して受け取り、記憶部１０４に保存する（ステップＳ１３）。なお、転送先の宛先のメールアドレスは一つに限定せず複数持つことを可能とする。
【００７５】
ステップＳ１３でメールアドレスを保存したら、制御部１０５は、表示部１０２を経由して、表示装置１０１の表示を消去させて（ステップＳ１０）、処理を終了する。
【００７６】
図５は予約設定のときの処理を示すものである。図５において、制御部１０５は、受信部１０８から、随時、ＰＳＩやＳＩ等の予約に必要な情報を取得し、記憶部１０４に保存している。番組表の起動が操作されると（ステップＳ２１）、制御部１０５は、入力装置１０９を使って、ユーザーが操作した一連の情報を操作入力部１０７を経由して受け取り、表示部１０２を経由して、表示装置１０１に「番組表（ＥＰＧ画面）」を表示させる（ステップＳ２２）。
【００７７】
番組予約を行う場合には、ユーザは、表示装置１０１の「番組表」を見ながら入力装置１０９を使って、予約設定を行う（ステップＳ２３）。
【００７８】
制御部１０５は、入力装置１０９を使ってユーザーが予約操作（選択）した番組情報を、操作入力部１０７を経由して受け取り、予約画面を表示する（ステップＳ２４）。そして、番組予約操作を行い（ステップＳ２５）、記憶部１０４に予約情報として保存する（ステップＳ２６）。このようにして予約設定が終了すると、制御部１０５は、表示部１０２を経由して、表示装置１０１の表示を消去させて（ステップＳ２７）、処理を終了する。
【００７９】
図６は、このようにして設定された予約を実行するときの処理を示すフローチャートである。
【００８０】
制御部１０５は、予約設定で設定された予約時間になったか否かを判断しており（ステップＳ３１）、予約設定時間になると、予約設定で記憶部１０４に保存された予約情報により、選局部１０６に指令を出し、予約番組のチャンネルを選局する（ステップＳ３２）。
【００８１】
制御部１０５は、開始される番組の契約情報をＣＡ部１１０から受け取り、契約情報から、番組を提示してよいかを判断する（ステップＳ３３）。また、受信部８の受信状態を確認したりするなどして、正常に番組を提示できるかの判断も行う（ステップＳ３４）。
【００８２】
ステップＳ３３で契約が無効であったり、ステップＳ３４で受信状態にも問題があると判断された場合には、予約をキャンセルする。制御部１０５は、提示してはいけない番組（未契約番組）の場合や、受信機の状態により正常に番組が提示できない場合などは、キャンセル動作を行い（ステップＳ３５）、同時に、キャンセルされた理由やその番組の情報を整理し、メール作成部１１１で受信機自己発行メールを作成し、記憶部１０４に保存する（ステップＳ３６）。
【００８３】
そして、制御部１０５は、記憶部１０４を検索し、「メール通知項目」の設定で「予約実行結果の通知をする」に設定されていたかどうかを判断し（ステップＳ３７）、「予約実行結果の通知をする」に設定されたいた場合には、この作成したメールをインターネットメール形式に変換し（ステップＳ３８）、通信部１０３を使ってインターネットに接続し（ステップＳ３９）、「メール宛先の設定」で保存されたメールの宛先に、インターネットを使ってこのメールを送信し（ステップＳ４０）、メールの送信が終了したら、インターネットへの接続を終了する（ステップＳ４１）。
【００８４】
ステップＳ３３で契約情報が有効であり、ステップＳ３４で受信状態にも問題がないと判断されたときには、予約実行となる。予約実行の場合には、予約番組の提示を行う（ステップ４２）。すなわち、予約された番組を受信し、その番組のデスクランブルして、記録装置に記録する。そして、制御部１０５は、予約終了時間になったかを判断し（ステップＳ４３）、予約終了時間になったら、予約終了処理を行う（ステップＳ４４）。
【００８５】
制御部１０５は、予約された番組が終了すると、記憶部１０４を検索し、「メール通知項目」の設定で「予約実行結果の通知をする」に設定されていたかどうかを判断し（ステップＳ３７）、「予約実行結果の通知をする」に設定されたいた場合には、予約が成功した番組の情報をインターネットメール形式に変換し（ステップＳ３８）、通信部１０３を使ってインターネットに接続し（ステップＳ３９）、「メール宛先の設定」で保存されたメールの宛先に、インターネットを使ってこのメールを送信し（ステップＳ４０）、メールの送信が終了したら、インターネットへの接続を終了する（ステップＳ４１）。
【００８６】
このように、「メール通知項目」の設定で「予約実行結果の通知をする」に設定しておくと、予約実行結果がメールが予め設定しておいたメールアドレスの宛先に転送されてくる。
【００８７】
例えば、予約録画が成功すると、図１０に示すように、予約が成功した番組の情報が予め設定しておいたメールアドレスの宛先に転送される。このメールの内容がパーソナルコンピュータや携帯電話の画面に表示される。また、予約が失敗すると、図１１に示すように、予約が失敗した番組やその原因の情報が予め設定しておいたメールアドレスの宛先に転送される。このメールの内容がパーソナルコンピュータや携帯電話の画面に表示される。これにより、ユーザは自分の良く使うパーソナルコンピュータや携帯電話の画面で、予約録画が成功したかどうかを確認できる。
【００８８】
図７は、ＥＭＭメールを転送するときの処理を示すフローチャートである。図７において、制御部１０５は、受信部１０８からＥＭＭメールが届いたかいなかを判断しており（ステップＳ５１）、ＥＭＭメールを受け取ると、受け取ったＥＭＭメールを記憶部１０４に保存する（ステップＳ５２）。
【００８９】
制御部１０５は、予約された番組が終了すると、記憶部１０４を検索し、「メール通知項目」の設定で「ＥＭＭメールを通知をする」に設定されていたかどうかを判断し（ステップＳ５３）、「ＥＭＭメールを通知をする」に設定されたいた場合には、ＥＭＭメールをインターネットメール形式に変換し（ステップＳ５４）、通信部１０３を使ってインターネットに接続し（ステップＳ５５）、「メール宛先の設定」で保存されたメールの宛先に、インターネットを使ってこのメールを送信し（ステップＳ５６）、メールの送信が終了したら、インターネットへの接続を終了する（ステップＳ５７）。
【００９０】
このように、「メール通知項目」の設定で「ＥＭＭメールを通知をする」に設定しておくと、個別（ＥＭＭ）メールを受信すると、その個別（ＥＭＭ）メールが予め設定しておいたアドレスに転送されてくる。個別（ＥＭＭ）メールは、図１２に示すように、放送局側から送られてくる契約情報である。これにより、ユーザは自分の良く使うパーソナルコンピュータや携帯電話の画面で、契約情報を確認できる。
【００９１】
図８は、ＰＰＶの番組を購入するときの処理を示すフローチャートである。図８において、制御部１０５は、開始になった番組をＣＡ部１１０に問い合わせ、開始する番組がＰＰＶの番組かどうかを判断している（ステップＳ６１）。その番組がＰＰＶ番組だった場合には、表示部１０２を経由して、表示装置１０１に購入のためのＧＵＩ画面を表示させる（ステップＳ６２）。
【００９２】
ユーザは、ＰＰＶの番組を購入する場合には、表示装置１０１のＧＵＩの画面を見ながら、入力装置１０９を使って、一連の購入操作を行うことになる（ステップＳ６３）。
【００９３】
制御部１０５は、入力装置１０９を使ってユーザーが操作した一連の購入操作を、操作入力部１０７を経由して受け取り、ＣＡ部１１０に購入指示を出し、購入処理が行われる（ステップＳ６４）。ステップＳ６５で購入が成功したか否かを判断し、購入が成功しなければ、ステップＳ６１にリターンする。
【００９４】
購入指示の結果を受け取った制御部１０５は、購入成功した場合、購入した番組の金額等の購入情報をＣＡ部１１０から受け取り、この購入情報（金額）を記憶部１０４に記憶する（ステップＳ６６）。
【００９５】
そして、制御部１０５は、ＰＰＶの購入を終了すると、記憶部１０４を検索し、「メール通知項目」の設定で「ＰＰＶ購入を通知する」に設定されていたかどうかを判断し（ステップＳ６７）、「ＰＰＶ購入を通知をする」に設定されたいた場合には、購入された番組の情報と購入金額とを、インターネットメール形式に変換し（ステップＳ６８）、通信部１０３を使ってインターネットに接続し（ステップＳ６９）、「メール宛先の設定」で保存されたメールの宛先に、インターネットを使ってこのメールを送信し（ステップＳ７０）、メールの送信が終了したら、インターネットへの接続を終了する（ステップＳ７１）。
【００９６】
このように、「メール通知項目」の設定で「ＰＰＶ購入を通知をする」に設定しておくと、ＰＰＶを購入すると、図１３及び図１４に示すように、ＰＰＶを購入したことを示す情報やその料金の情報が予め設定しておいたメールアドレスの宛先に転送されてくる。このメールの内容がパーソナルコンピュータや携帯電話の画面に表示される。これにより、ユーザは自分の良く使うパーソナルコンピュータや携帯電話の画面で、ＰＰＶの購入情報を確認できる。
【００９７】
図９は、ソフトウェアをダウンロードをするときの処理を示すフローチャートである。図９において、ＣＰＵ１０５は、受信部１０８からダウンロード情報が来たかどうかを判断している（ステップＳ８１）。受信部１０８からのダウンロード情報を受けると、受信機の状態を検査してソフトウェアのダウンロードができるかを判断している。
【００９８】
ダウンロードが可能なときには、メール作成部１１１で、ダウンロード情報に書かれたダウンロードの開始期日や告知の内容を受信機自己発行メールとして作成し、記憶部１０４に保存する（ステップＳ８３）。
【００９９】
そして、制御部１０５は、記憶部１０４を検索し、「メール通知項目」の設定で「ダウンロード開始を通知する」に設定されていたかどうかを判断する（ステップＳ８４）。
【０１００】
「ダウンロード開始を通知する」に設定されたいた場合には、作成された自己発行メールをインターネットメール形式に変換し（ステップＳ８５）、通信部１０３を使ってインターネットに接続し（ステップＳ８６）、「メール宛先の設定」で保存されたメールの宛先に、インターネットを使ってこのメールを送信し（ステップＳ８７）、メールの送信が終了したら、インターネットへの接続を終了する（ステップＳ８８）。そして、ダウンロード待機状態となる（ステップＳ８９）。
【０１０１】
「ダウンロード開始を通知しない」に設定されたいた場合には、メール通知を行わずに、ダウンロード待機状態となる（ステップＳ８９）
【０１０２】
それから、ダウンロードが開始されると（ステップＳ９０）、受信部１０８からの情報が保存されていく。ダウンロード処理が終了すると（ステップＳ９１）、メール作成部１１１で、ダウンロードの終了日時や告知の内容が受信機自己発行メールとして作成され、記憶部１０４に保存される（ステップＳ９２）。
【０１０３】
そして、制御部１０５は、記憶部１０４を検索し、「メール通知項目」の設定で「ダウンロード終了を通知する」に設定されていたかどうかを判断する（ステップＳ９３）。「ダウンロード終了を通知する」に設定されたいた場合には、作成された自己発行メールをインターネットメール形式に変換し（ステップＳ９４）、通信部１０３を使ってインターネットに接続し（ステップＳ９５）、「メール宛先の設定」で保存されたメールの宛先に、インターネットを使ってこのメールを送信し（ステップＳ９６）、メールの送信が終了したら、インターネットへの接続を終了する（ステップＳ９７）。
【０１０４】
このように、「メール通知項目」の設定で「ダウンロード開始を通知する」に設定しておくと、ソフトウェアのダウンロードを開始するときに、図１５に示すように、ダウンロードを開始するときの予告情報が予め設定しておいたメールアドレスの宛先に転送されてくる。このメールの内容がパーソナルコンピュータや携帯電話の画面に表示される。
【０１０５】
また、「メール通知項目」の設定で「ダウンロード終了を通知する」に設定しておくと、図１６及び図１７に示すように、ダウンロードを終了すると、ダウンロードしたソフトウェアの情報が予め設定しておいたメールアドレスの宛先に転送されてくる。このメールの内容がパーソナルコンピュータや携帯電話の画面に表示される。なお、図１６は新しいソフトウェアを動作させるにはリセットが必要であるという情報が含まれ、図１７は、新しい機能の情報が含まれている。これにより、ユーザは自分の良く使うパーソナルコンピュータや携帯電話の画面で、新しいソフトウェアがダウンロードされたことや、そのソフトウェアの情報を確認できる。
【０１０６】
なお、上述の例では、ディジタルＢＳ放送やディジタルＣＳ放送のようなディジタル衛星放送としているが、この発明は、ディジタル地上波放送でも同様に適用できる。また、ディジタルテレビジョン放送ばかりでなく、アナログのテレビジョン放送でも、適用可能である。
【０１０７】
また、上述の例では、衛星放送チューナとテレビジョン受像機とを別体としているが、衛星放送チューナとテレビジョン受像機とを一体化するようにしても良い。
【０１０８】
また、この例では、予約実行と、ＰＰＶと、ソフトウエアのダウンロードのときに自己発行メールを送信する例について説明したが、自己発行メールの送信は、これらに限定されるものではない。
【０１０９】
【発明の効果】
この発明によれば、個別（ＥＭＭ）メールが来たことや自己発行メールが来たことを、受信機を観察していなくても普段の生活上で知ることができるため、早急に知る必要があるメールでもリアルタイムに読むことができる。
【０１１０】
また、普段使っているメール環境で、気軽に個別（ＥＭＭ）メールや受信機の自己発行メールを読むことができるため、面倒な受信機の操作をすることがなくなる。
【０１１１】
また、家庭でなく、出先（携帯電話とか職場のメール環境とか）でもメールを読むことができるため、例えば予約が失敗した時でもリアルタイムに知ることができるので、連続している番組などは、遠隔操作や家庭の人に頼んで予約をやり直してもらうなどをして、再予約をすることが可能になる。
【０１１２】
また、子供など第三者が無断でＰＰＶ番組を購入するなどしても、購入通知をメールで通知することでリアルタイムに知ることができる。よって、外出時など自分（契約者）以外の人によるＰＰＶ購入があったことを知ることができたり、請求金額の概算をあらかじめ認識しておくことができる。
【０１１３】
また、衛星ダウンロードのお知らせ／終了の通知を知ることができるので、機能アップしたことや不具合が直ったことを知ることができる。
【図面の簡単な説明】
【図１】この発明が適用されたディジタル衛星放送の受信端末の構成を示すブロック図である。
【図２】この発明が適用されたメール転送システムの構成を示すブロック図である。
【図３】この発明が適用されたディジタル衛星放送の受信端末の説明に用いる機能ブロック図である。
【図４】この発明が適用されたディジタル衛星放送の受信端末の説明に用いるフローチャートである。
【図５】この発明が適用されたディジタル衛星放送の受信端末の説明に用いるフローチャートである。
【図６】この発明が適用されたディジタル衛星放送の受信端末の説明に用いるフローチャートである。
【図７】この発明が適用されたディジタル衛星放送の受信端末の説明に用いるフローチャートである。
【図８】この発明が適用されたディジタル衛星放送の受信端末の説明に用いるフローチャートである。
【図９】この発明が適用されたディジタル衛星放送の受信端末の説明に用いるフローチャートである。
【図１０】転送されるメールの説明に用いる略線図である。
【図１１】転送されるメールの説明に用いる略線図である。
【図１２】転送されるメールの説明に用いる略線図である。
【図１３】転送されるメールの説明に用いる略線図である。
【図１４】転送されるメールの説明に用いる略線図である。
【図１５】転送されるメールの説明に用いる略線図である。
【図１６】転送されるメールの説明に用いる略線図である。
【図１７】転送されるメールの説明に用いる略線図である。
【符号の説明】
１０１・・・表示装置、１０２・・・表示部、１０３・・・通信部、１０４・・・記憶部、１０５・・・制御部、１０６・・・選局部、１０７・・・操作入力部、１０８・・・受信部、１０９・・・入力装置、１１０・・・ＣＡ部、１１１・・・メール作成部
【図１】
2004118402.tif 000003
【図２】
2004118402.tif 000004
【図３】
2004118402.tif 000005
【図４】
2004118402.tif 000006
【図５】
2004118402.tif 000007
【図６】
2004118402.tif 000008
【図７】
2004118402.tif 000009
【図８】
2004118402.tif 000010
【図９】
2004118402.tif 000011
【図１０】
2004118402.tif 000012
【図１１】
2004118402.tif 000013
【図１２】
2004118402.tif 000014
【図１３】
2004118402.tif 000015
【図１４】
2004118402.tif 000016
【図１５】
2004118402.tif 000017
【図１６】
2004118402.tif 000018
【図１７】
2004118402.tif 000019